(57)【要約】      （修正有）【課題】組立式パレットの改良構造を提供する。【解決手段】支持ステージと天板を有し、支持ステージは複数の縦方向の支持部材と複数の横方向の支持部材から構成され、これら縦方向の支持部材と横方向の支持部材は一枚の段ボール紙から折り畳んで構成され、これら縦方向の支持部材と横方向の支持部材はネット状に配置されると共に互いに嵌め合うことで支持ステージを構成し、支持ステージの上部に複数の嵌合溝が形成され、天板の底面に縦方向の支持部材と横方向の支持部材との嵌合溝に夫々縦方向の支持部材と横方向の支持部材との嵌合溝に対応する連接部材が設けられる。これら連接部材が支持ステージの嵌合溝に嵌合されることで天板と支持ステージが互いに嵌合してパレットを構成する。【選択図】図３
0003174986.tif 000002
【実用新案登録請求の範囲】
【請求項１】
支持ステージと天板が含まれ、前記支持ステージは、複数の縦方向の支持部材と複数の横方向の支持部材から構成され、これらの縦方向の支持部材と横方向の支持部材は、一枚の段ボール紙から折り畳んで構成され、これらの縦方向の支持部材と横方向の支持部材は、ネット状に配置されると共に、互いに嵌め合うことにより、支持ステージを構成し、前記支持ステージの上部に複数の嵌合溝が形成される組立式パレットの改良構造であって、
前記天板の底面ににおける前記支持ステージに位置する嵌合溝に前記支持ステージの嵌合溝に対応する連接部材が設けられることにより、前記天板と前記支持ステージが互いに嵌め合ってパレットを構成し、且つこれらの連接部材の上面はより大きい表面積を有することにより、これらの連接部材がそのより大きい表面積を有する上面で天板の底面に固定されてより大きい粘着力を得ることができることを特徴とする組立式パレットの改良構造。
【請求項２】
前記連接部材の上面は、接着剤にて天板の底面に粘着して固定されることを特徴とする請求項１に記載の組立式パレットの改良構造。
【請求項３】
前記連接部材は、長い棒状又は間隔状から選ばれた一つの方式により、縦方向に沿って接着剤にて天板の底面に粘着して固定されることを特徴とする請求項２に記載の組立式パレットの改良構造。
【請求項４】
前記連接部材は、長い棒状又は間隔状から選ばれた一つの方式により、横方向に沿って接着剤にて天板の底面に粘着して固定されることを特徴とする請求項２に記載の組立式パレットの改良構造。
【請求項５】
前記連接部材は、複数の板素材を折り畳んでから矩形体を構成することを特徴とする請求項１に記載の組立式パレットの改良構造。
【請求項６】
支持ステージと天板が含まれ、前記支持ステージは、複数の縦方向の支持部材と複数の横方向の支持部材から構成され、これらの縦方向の支持部材と横方向の支持部材は、一枚の段ボール紙から折り畳んで構成され、これらの縦方向の支持部材と横方向の支持部材は、ネット状に配置されると共に、互いに嵌め合うことにより、支持ステージを構成し、前記縦方向の支持部材との横方向の支持部材との上部に複数の嵌合溝が形成される組立式パレットの改良構造であって、
前記天板の底面に前記縦方向の支持部材と横方向の支持部材との嵌合溝にそれぞれ前記縦方向の支持部材と横方向の支持部材との嵌合溝に対応する連接部材が設けられることにより、前記天板と前記支持ステージが互いに嵌め合ってパレットを構成し、且つこれらの連接部材の上面はより大きい表面積を有することにより、これらの連接部材がそのより大きい表面積を有する上面で天板の底面に固定されてより大きい粘着力を得ることができることを特徴とする組立式パレットの改良構造。
【請求項７】
前記連接部材は、長い棒状又は間隔状から選ばれた一つの方式により、且つ連接部材の上面が接着剤にて天板の底面に粘着して固定されることを特徴とする請求項６に記載の組立式パレットの改良構造。
【請求項８】
前記連接部材は、複数の板素材を折り畳んでから矩形体を構成することを特徴とする請求項６に記載の組立式パレットの改良構造。
【考案の詳細な説明】
【技術分野】
【０００１】
本考案は、組立式パレットの改良構造であり、特にパレットの天板がより重い荷重物を負荷でき、且つその支持ステージが異なる形式のフォークリフトトラックの搬送に対応でき、並びにその天板と支持ステージが強固に結合することで脱落による損壊が有しない構造に関するものである
【背景技術】
【０００２】
図１に示すように、従来のパレット構造は、支持ステージ（１０）と天板（２０）を有し、前記支持ステージ（１０）は、複数の縦方向の支持部材（１１）と複数の横方向の支持部材（１２）から構成され、これらの縦方向の支持部材（１１）と横方向の支持部材（１２）が互いに嵌合されて支持ステージ（１０）を構成する。前記天板（２０）は、一枚の段ボール紙から構成され、その底面を接着剤によって前記支持ステージ（１０）の縦方向の支持部材（１１）と横方向の支持部材（１２）との上面に貼り合せることにより、前記天板（２０）を前記支持ステージ（１０）の上方に粘着させる。使用時に、フォークリフトトラックによって前記支持ステージ（１０）を上方へ上げることにより、前記支持ステージの上方に載せた物品を搬送する。
【考案の概要】
【考案が解決しようとする課題】
【０００３】
しかしながら、縦方向の支持部材（１１）と横方向の支持部材（１２）は、前記一枚の段ボール紙から折り畳んで構成され、その上面の表面積が小さいため、前記天板（２０）と前記支持ステージ（１０）の上方との粘着面積が小さく、粘着力も悪い。フォークリフトトラックによって搬送を行うとき、載せた物品が重すぎる又は室温の高いため、前記天板（２０）と前記支持ステージ（１０）との間における接着剤を溶融して脱落する恐れがあり、そして、載せた物品の墜落やパレットの損壊がある。前記天板（２０）と前記支持ステージ（１０）を分解してあらためて組み合わせても、分解のせいで前記天板（２０）と前記支持ステージ（１０）との表面が損壊されてしまい、あらためて組み合わせることができなく、再び使用されることができない。更に、前記天板（２０）の厚さが足りなく、更に前記支持ステージ（１０）がより強く支持効果を提供できない。前記天板（２０）の上方に載せた物品の重量がより重いとき、前記天板（２０）が変形して湾曲されることにより、さらに物品を搭載することができなくなる。また、フォークリフトトラックによって搬送を行うための前記支持ステージ（１０）底部の溝（１３）は、前記支持ステージ（１０）がより強く支持力を提供できないため、上方へ更に大きくなることができなく、異なる形式のフォークリフトトラックの搬送に対応することができない。従って、前記従来のパレット構造は、沢山の欠点があるため優れた設計のものではなく、更に改良する必要がある。
【課題を解決するための手段】
【０００４】
上記従来のパレット構造の問題に鑑み、本考案の出願人は、改良や更新を行おうと思いながら、多年の研究を経ってようやく本考案に係わる組立式パレットの改良構造が開発される。
【０００５】
本考案の目的は、パレットの天板とその支持ステージが強固に結合され、脱落によるの損壊を発生しない組立式パレットの改良構造を提供する。
【０００６】
本考案の他の目的は、パレットの天板がより重い物品を搭載可能となる組立式パレットの改良構造を提供する。
【０００７】
本考案の更に他の目的は、異なる形式のフォークリフトトラックの搬送に対応できる組立式パレットの改良構造を提供する。
【０００８】
上記目的を達成するために本考案の組立式パレットの改良構造は、支持ステージと天板を有し、前記支持ステージは、複数の縦方向の支持部材と複数の横方向の支持部材から構成され、これらの縦方向の支持部材と横方向の支持部材は、一枚の段ボール紙から折り畳んで構成され、これらの縦方向の支持部材と横方向の支持部材は、ネット状に配置されると共に、互いに嵌め合うことにより、支持ステージを構成し、前記支持ステージの上部に複数の嵌合溝が形成され、前記天板の底面における前記支持ステージに位置する嵌合溝に前記支持ステージの嵌合溝に対応する連接部材が設けられ、これらの連接部材の上面はより大きい表面積を有することにより、これらの連接部材がそのより大きい表面積を有する上面で天板の底面に固定されてより大きい粘着力を得ることができ、これらの連接部材が前記支持ステージの嵌合溝に嵌合されることにより、前記天板と前記支持ステージが互いに嵌合してパレットを構成する。
【考案の効果】
【０００９】
本考案は上記の課題を解決するものであり、上記の構成により構成されるパレットは、その天板がより重い物品を搭載でき、且つその支持ステージは、異なる形式のフォークリフトトラックの搬送に対応でき、同時に天板とその支持ステージが強固に結合され、脱落によるの損壊を発生しない。
【図面の簡単な説明】
【００１０】
【図１】従来のパレット構造の分解斜視図である。
【図２】本考案に係る組立式パレットの改良構造を示す斜視図である。
【図３】本考案に係る組立式パレットの改良構造を示す分解斜視図である。
【図４】本考案に係る組立式パレットの改良構造の一部を示す斜視図である。
【図５】本考案に係る組立式パレットの改良構造の他の実施例を示す斜視図である。
【図６】本考案に係る組立式パレットの改良構造の他の実施例を示す分解斜視図である。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図２及び図３に示すように、本考案は組立式パレットの改良構造を提供するものであり、前記パレット（３）は、主に支持ステージ（３１）と天板（４１）が含まれている。
【００１３】
前記支持ステージ（３１）は、複数の縦方向の支持部材（３１１）と複数の横方向の支持部材（３１２）から構成され、これらの縦方向の支持部材（３１１）と横方向の支持部材（３１２）は、一枚の段ボール紙から折り畳んで構成され、これらの縦方向の支持部材（３１１）と横方向の支持部材（３１２）は、ネット状に配置されると共に、互いに嵌め合うことにより、支持ステージ（３１）を構成し、前記支持ステージ（３１）の上部に複数の嵌合溝（３２）が形成される。
【００１４】
前記天板（４１）の底面における前記支持ステージ（３１）に位置する嵌合溝（３２）に前記支持ステージ（３１）の嵌合溝（３２）に対応する連接部材（４１１）が設けられ、図４に示すように、これらの連接部材（４１１）の上面はより大きい表面積を有することにより、これらの連接部材（４１１）がそのより大きい表面積を有する上面で天板（４１）の底面に固定されてより大きい粘着力を得ることができ、これらの連接部材（４１１）が長い棒状又は間隔状から選ばれた一つの方式（図３に示すように）によって前記支持ステージ（３１）の嵌合溝（３２）に嵌合されることにより、前記天板（４１）と前記支持ステージ（３１）が互いに嵌合してパレット（３）を構成する。
【００１５】
使用のときに、前記パレット（３）は、連接部材（４１１）のより大きい表面積で天板（４１）の底面に固設されることにより、より強固の接着力を有する構造を獲得し、更に前記連接部材（４１１）から前記天板（４１）を上方へ支持する力と、前記連接部材（４１１）が前記支持ステージ（３１）に嵌合されて発生する縦方向の支持部材（３１１）と横方向の支持部材（３１２）を下方へ支持する力により、パレット（３）の天板（４１）とその支持ステージ（３１）を強固に結合させ、脱落による損壊を発生しないと共に、フォークリフトトラックによる搬送のスムーズ性を確保する。同時に、前記天板（４１）は、より重い物品を搭載でき、変形されて湾曲のせいで使用できない問題がない。同時に、前記パレット（３）の底部に高さを調整する可能な溝（３３）が形成されるため、前記支持ステージ（３１）は、異なる形式のフォークリフトトラックの搬送に対応することができる。
【００１６】
また、前記縦方向の支持部材（３１１）と横方向の支持部材（３１２）は、一枚の段ボール紙から折り畳んで構成され、これはまず板素材の両側を中央へ折り畳んで、次に板素材の中心線に沿って当該板素材を半分に折り畳んで、最後に、板の末端を両側へ折り畳むことにより、上部におけるＴ字形の厚い断面構造を構成する。
【００１７】
前記連接部材（４１１）の上面は、接着剤にて天板（４１）の底面に粘着して固定される。
【００１８】
又、前記連接部材（４１１）は、縦方向に沿って接着剤にて天板（４１）の底面に粘着して固定される。
【００１９】
前記連接部材（４１１）は、横方向に沿って接着剤にて天板（４１）の底面に粘着して固定される。
【００２０】
前記連接部材（４１１）は、複数の板素材を折り畳んでから矩形体を構成する。
【００２１】
前記連接部材（４１１）の強度が強い折り畳み面は、その上面に位置されている。
【００２２】
図５及び図６に示すように、本考案に係わる組立式パレットの改良構造の他の実施例では、前記パレット（３）は、支持ステージ（３１）と天板（４１）が含まれている。
【００２３】
前記支持ステージ（３１）は、複数の縦方向の支持部材（３１１）と複数の横方向の支持部材（３１２）から構成され、これらの縦方向の支持部材（３１１）と横方向の支持部材（３１２）は、一枚の段ボール紙から折り畳んで構成され、これらの縦方向の支持部材（３１１）と横方向の支持部材（３１２）は、ネット状に配置されると共に、互いに嵌め合うことにより、支持ステージ（３１）を構成し、前記縦方向の支持部材（３１１）との横方向の支持部材（３１２）との上部に複数の嵌合溝（３２）が形成される。
【００２４】
前記天板（４１）の底面には、前記縦方向の支持部材（３１１）と横方向の支持部材（３１２）との嵌合溝（３２）にそれぞれ前記縦方向の支持部材（３１１）と横方向の支持部材（３１２）との嵌合溝（３２）に対応する連接部材（４１１）が設けられ、これらの連接部材（４１１）の上面はより大きい表面積を有することにより、これらの連接部材（４１１）がそのより大きい表面積を有する上面で天板（４１）の底面に固定されてより大きい粘着力を得ることができる。
【００２５】
使用のときに、前記パレット（３）は、連接部材（４１１）のより大きい表面積で天板（４１）の底面に固設されることにより、より強固の接着力を有する構造を獲得し、更に前記連接部材（４１１）から前記天板（４１）を上方へ支持する力と、前記連接部材（４１１）が前記支持ステージ（３１）に嵌合されて発生する縦方向の支持部材（３１１）と横方向の支持部材（３１２）を下方へ支持する力により、パレット（３）の天板（４１）とその支持ステージ（３１）を強固に結合させ、脱落による損壊を発生しないと共に、フォークリフトトラックによる搬送のスムーズ性を確保する。同時に、前記天板（４１）は、より重い物品を搭載でき、変形されて湾曲のせいで使用できない問題がない。同時に、前記パレット（３）の底部に高さを調整する可能な溝（３３）が形成されるため、前記支持ステージ（３１）は、異なる形式のフォークリフトトラックの搬送に対応することができる。
【００２６】
また、前記縦方向の支持部材（３１１）と横方向の支持部材（３１２）は、一枚の段ボール紙から折り畳んで構成され、これはまず板素材の両側を中央へ折り畳んで、次に板素材の中心線に沿って当該板素材を半分に折り畳んで、最後に、板の末端を両側へ折り畳むことにより、上部におけるＴ字形の厚い断面構造を構成する。
【００２７】
前記連接部材（４１１）は、長い棒状又は間隔状から選ばれた一つの方式（図６に示すように）により、且つ連接部材（４１１）の上面が接着剤にて天板（４１）の底面に粘着して固定される。
【００２８】
又、前記連接部材（４１１）は、複数の板素材を折り畳んでから矩形体を構成する。
【００２９】
前記連接部材（４１１）の強度が強い折り畳み面は、その上面に位置されている。
【００３０】
上記詳細な説明は、本考案における実施例を通じて本考案を説明するものであるが、前記実施例は本考案の実用新案登録請求の範囲を制限するものではなく、本考案の技術要旨に離脱しない何れかの補正や変化すること、例えば等しい効果への変形実施例は、本考案の実用新案登録請求の範囲に含まれるべきである。
【産業上の利用可能性】
【００３１】
本考案は上記の構成を有するので、本考案より提供される組立式パレットの改良構造は従来のパレット構造に比べて下記のようなメリットを有する。  
１．パレットの天板とその支持ステージが強固に結合され、脱落によるの損壊を発生しない。  
２．パレットの天板がより重い物品を搭載可能となり、変形による湾曲を発生しない。  ３．異なる形式のフォークリフトトラックの搬送に対応できる。
【符号の説明】
【００３２】
３…パレット、
３１…支持ステージ、
３１１…縦方向の支持部材、
３１２…横方向の支持部材、
３２…嵌合溝、
３３…溝、
４１…天板、
４１１…連接部材。
【図１】
0003174986.tif 000003
【図２】
0003174986.tif 000004
【図３】
0003174986.tif 000005
【図４】
0003174986.tif 000006
【図５】
0003174986.tif 000007
【図６】
0003174986.tif 000008